(57)【要約】    【課題】必要に応じ、携帯電話のモードをマナーモードや電源をＯＦＦとするＯＦＦモードに、強制的かつ確実に切替えることができ、電波障害のおそれのある精密機器などが設置されている施設や乗り物においても導入可能な携帯通信端末の自動モード切替システムを提供する。    【解決手段】  音声により着信通知を行う第１のモードと、音声を用いない着信通知を行う第２のモードと、電源を強制的にＯＦＦ状態とする第３のモードとに切替え可能としたモード切替手段を有する携帯通信端末に対して、前記モード切替手段に対応し、前記第２又は第３のモードを指定するモード指定信号を発信するモード指定信号送信手段を設け、前記モード指定信号を受信した前記モード切替手段は、指定されたモードに強制的に切替わるようにした。【選択図】図１
2005277973.tif 000002
【特許請求の範囲】
【請求項１】
音声により着信通知を行う第１のモードと、音声を用いない着信通知を行う第２のモードと、電源を強制的にＯＦＦ状態とする第３のモードとに切替え可能としたモード切替手段を有する携帯通信端末に対して、
前記モード切替手段に対応し、前記第２又は第３のモードを指定するモード指定信号を発信するモード指定信号送信手段を設け、
前記モード指定信号を受信した前記モード切替手段は、指定されたモードに強制的に切替わるようにしたことを特徴とする携帯通信端末の自動モード切替システム。
【請求項２】
前記携帯通信端末は、前記モード切替手段を動作させる前に、現在のモードを検出するモード検出手段を備え、
検出したモードが前記第１のモードの場合、及び検出したモードが前記第２のモードであって、かつ前記モード指定信号が前記第３のモードに切替える信号である場合にモードを切替えることを特徴とする請求項１記載の携帯通信端末の自動モード切替システム。
【請求項３】
前記携帯通信端末は、前記モード検出手段により検出したモードを記憶する初期モード記憶手段と、
モード切替時にフラグを立て、フラグを立てた状態において、再度前記モード指定信号を受信した場合、前記初期モード記憶手段に記憶したモードに復帰させるモード復帰手段と、
を備えていることを特徴とする請求項２記載の携帯通信端末の自動モード切替システム。
【請求項４】
前記モード復帰手段は、フラグを立てた状態の時間の計測を開始するタイマを備え、このタイマが所定の時間に達した場合に、前記モード指定信号の受信にかかわらず前記初期モード記憶手段に記憶したモードに復帰させることを特徴とする請求項３記載の携帯通信端末の自動モード切替システム。
【請求項５】
前記携帯通信端末は前記モード切替手段に連動するＩＣタグを備え、このＩＣタグに記録されたモードに基づいて前記モード切替手段がモード切替えを実行するとともに、更新されたモードは前記ＩＣタグに記録される一方、前記モード指定信号送信手段は、前記ＩＣタグの記録情報を読み取り、読み取ったモードに応じて、第２若しくは第３のモードに書換えるＩＣタグリーダー／ライターを備えることを特徴とする請求項１〜４のいずれか１項に記載の携帯通信端末の自動モード切替システム。
【発明の詳細な説明】
【技術分野】
【０００１】
本発明は、携帯電話等のように通話着信や電子メール着信のような着信状態時に着信したことを通知する着信通知手段を有している携帯通信端末において、特に音声による着信通知が憚れる場所では、音声による着信通知を行わないモードに自動的に切り替え可能とした携帯通信端末の自動モード切替システムに関するものである。
【背景技術】
【０００２】
従来、携帯電話などの携帯通信端末では、通話着信や電子メール着信のような着信状態となると、その携帯通信端末の利用者に通話または電子メール等を着信したことを通知する着信通知手段を設けている。
【０００３】
この着信通知手段としては、一般的には着信音を発音させることにより通知する音声通知手段や、携帯通信端末に内蔵したバイブレータを動作させることにより通知する振動通知手段や、携帯通信端末に内蔵した発光ダイオードを動作させることにより通知する発光通知手段が用いられている。
【０００４】
このうち、音声通知手段は、携帯通信端末の利用者だけでなく周りにいる第三者にも着信音が聞こえると迷惑を掛ける場合がある。したがって、コンサートホールや映画館等のように比較的静寂な環境が要求される場所、あるいはバスや電車などの公共の乗り物などでは、音声通知手段を動作させないようにすることが求められる。
【０００５】
また、携帯通信端末による受信、発信の電波によって悪影響を受けた場合、誤作動を引起すおそれのある機器を設定している個所、例えば病院内や航空機内においては、前記形態通信端末の電源をＯＦＦにすることが求められる。なお、通常の携帯通信端末では、電源をＯＦＦとした場合でもメモリー機能や時計機能など、最低限の電源は確保されるのが一般的となっている。
【０００６】
そこで、携帯通信端末は、音声通知手段を動作させるモード（以下「通常モード」という）と、音声通知手段を動作させないモード（以下「マナーモード」という）とに切替えるモード切替手段を備え、携帯通信端末の利用者が携帯通信端末を操作することによりモードの切り替え、あるいは電源をＯＦＦするようにしている。
【０００７】
しかしながら、モードの切り替えが要求される場所において、利用者は常に携帯通信端末のモード切替操作を行うとは限らないため、音声通知手段が動作して第三者に対して迷惑を掛けるおそれがあった。
【０００８】
そこで、携帯通信端末に所要信号を受信する受信手段を設けるとともに、所要信号を送信する送信手段を設け、この送信手段によって送信された信号を携帯通信端末が受信している間は強制的にマナーモードとするシステムが提案されている（例えば、特許文献１を参照。）。
【特許文献１】特開２００１−０７８２６３号公報
【発明の開示】
【発明が解決しようとする課題】
【０００９】
ところが、上記従来のシステムでは、携帯通信端末を強制的にマナーモードあるいは電源ＯＦＦの状態とする場合は、そのための所要信号を所定のエリア内に設けた送信手段により常に発信していなければならない。
【００１０】
しかし、例えば電波で悪影響を受ける機器が設置されている場所では、その周辺で携帯通信端末の電源をＯＦＦにしたいからといって、そのための所要信号を発信する前記送信手段を設置すると、この送信手段から常に発信されている電波自体が障害になるおそれがあった。
【００１１】
また、マナーモードに強制的に切り替えるための所要信号を受信しなくなったときに、この強制的に切替えられていたマナーモードが通常モードに切り替わるおそれがあり、予めマナーモードにしていた携帯通信端末の利用者は、再度マナーモードに自分で切り替えなければならず面倒であり、また、通常モードに切り替わったことに気付かない状態で着信音が鳴った場合、第三者の携帯通信端末と勘違いして大事な用件を受けそこなうおそれもあった。
【００１２】
本発明は、上記課題を解決することのできる携帯通信端末の自動モード切替システムを提供することを目的としている。
【課題を解決するための手段】
【００１３】
請求項１記載の本発明では、音声により着信通知を行う第１のモードと、音声を用いない着信通知を行う第２のモードと、電源を強制的にＯＦＦ状態とする第３のモードとに切替え可能としたモード切替手段を有する携帯通信端末に対して、前記モード切替手段に対応し、前記第２又は第３のモードを指定するモード指定信号を発信するモード指定信号送信手段を設け、前記モード指定信号を受信した前記モード切替手段は、指定されたモードに強制的に切替わる携帯通信端末の自動モード切替システムとした。
【００１４】
請求項２記載の本発明では、請求項１記載の携帯通信端末の自動モード切替システムにおいて、前記携帯通信端末は、前記モード切替手段を動作させる前に、現在のモードを検出するモード検出手段を備え、検出したモードが前記第１のモードの場合、及び検出したモードが前記第２のモードであって、かつ前記モード指定信号が前記第３のモードに切替える信号である場合にモードを切替えることを特徴とする。
【００１５】
請求項３記載の本発明では、請求項２記載の携帯通信端末の自動モード切替システムにおいて、前記携帯通信端末は、前記モード検出手段により検出したモードを記憶する初期モード記憶手段と、モード切替時にフラグを立て、フラグを立てた状態において、再度前記モード指定信号を受信した場合、前記初期モード記憶手段に記憶したモードに復帰させるモード復帰手段とを備えていることを特徴とする。
【００１６】
請求項４記載の本発明では、請求項３記載の携帯通信端末の自動モード切替システムにおいて、前記モード復帰手段は、フラグを立てた状態の時間の計測を開始するタイマを備え、このタイマが所定の時間に達した場合に、前記モード指定信号の受信にかかわらず前記初期モード記憶手段に記憶したモードに復帰させることを特徴とする。
【００１７】
請求項５記載の本発明では、請求項１〜４のいずれか１項に記載の携帯通信端末の自動モード切替システムにおいて、前記携帯通信端末は前記モード切替手段に連動するＩＣタグを備え、このＩＣタグに記録されたモードに基づいて前記モード切替手段がモード切替えを実行するとともに、更新されたモードは前記ＩＣタグに記録される一方、前記モード指定信号送信手段は、前記ＩＣタグの記録情報を読み取り、読み取ったモードに応じて、第２若しくは第３のモードに書換えるＩＣタグリーダー／ライターを備えることを特徴とする。
【発明の効果】
【００１８】
本発明によれば、モード指定信号送信手段を例えば所望する施設の入口などに設けることにより、施設内に持ち込まれる携帯通信端末に対して、音声を用いないで着信通知を行う第２のモードと、電源を強制的にＯＦＦ状態とする第３のモードとのいずれかに、簡単かつ確実に強制的に切替えることができるので、携帯通信端末の使用が問題となる施設やエリアにおける問題を解消することができる。
【発明を実施するための最良の形態】
【００１９】
本発明に係る携帯通信端末の自動モード切替システムは、音声により着信通知を行う第１のモードと、音声を用いない着信通知を行う第２のモードと、電源を強制的にＯＦＦ状態とする第３のモードとに切替え可能としたモード切替手段を有する携帯通信端末に対して、前記モード切替手段に対応し、前記第２又は第３のモードを指定するモード指定信号を発信するモード指定信号送信手段を設け、前記モード指定信号を受信した前記モード切替手段は、指定されたモードに強制的に切替わるようにしたものである。
【００２０】
すなわち、携帯通信端末（以下、本実施形態では「携帯電話」という）が広く普及した現在、静寂な環境が求められる施設やその他公共施設、さらには乗り物内では、音声により着信通知を行う第１のモード（以下「通常モード」という）から着信音が出ないように音声を用いない着信通知を行う前記第２のモード（以下「マナーモード」という）、また電波によって悪影響を受けやすい機器を設置している病院や航空機などにおいては電源をＯＦＦにする前記第３のモード（以下「ＯＦＦモード」という）にすることが求められているが、これを、利用者のモラルに任せるのではなく、前記モード指定信号送信手段を所定個所、例えば施設内入口などに設けることによって、当該施設に持ち込まれる携帯電話を、当該施設で求めるモードへと利用者の手をわずらわせることなく自動的に変更可能としたものである。
【００２１】
また、本実施形態では、前記携帯通信端末は、前記モード切替手段に連動するＩＣタグを備えた構成とし、このＩＣタグに記録されたモードに基づいて前記モード切替手段がモード切替えを実行するとともに、更新されたモードは前記ＩＣタグに記録されるようにする一方、前記モード指定信号送信手段は、前記ＩＣタグの記録情報を読み取り、読み取ったモードに応じて、マナーモード若しくはＯＦＦモードに書換えるＩＣタグリーダー／ライターを備える構成とすることが好ましい。この場合のＩＣタグリーダー／ライターは、所定距離の範囲をカバーできる無線方式とする。
【００２２】
かかる構成により、携帯電話の着信モードを強制的に所望するモードへとより確実に変更することができ、携帯電話利用者は着信モードを気にすることなく外出することができるようになって、場所によってモード切替えを頻繁に行う手間が省ける一方、公共施設や乗り物などでは、モード切替えを依頼する表示やアナウンスなどをいちいち行わなくても携帯電話利用に関する第三者からの苦情への応対が激減するとともに、携帯電話による電波障害などのおそれもなくなる。
【００２３】
また、前記携帯通信端末は、前記モード切替手段を動作させる前に、現在のモードを検出するモード検出手段を備え、検出したモードが前記通常モードの場合、及び検出したモードが前記マナーモードであって、かつ前記モード指定信号が前記ＯＦＦモードに切替える信号である場合にモードを切替えるようにすることが好ましい。
【００２４】
すなわち、携帯電話をマナーモードにするべき所定の施設や乗り物の入口近傍に設けられた前記モード指定信号送信手段のＩＣタグリーダー／ライターが、進入者が所持している携帯電話のＩＣタグを読み取り、例えば現在通常モードであることを検出した場合は、前記ＩＣタグのモードをマナーモードに書換えるのである。ＩＣタグは前記モード切替手段に連動しているので、書換えられたモードに基づいて前記モード切替手段がモードを切替えるとともに、更新されたモードは前記ＩＣタグに記録されるのである。なお、読み取ったモードがすでにマナーモードであった場合やＯＦＦモードであった場合は、ＩＣタグの書換えを行わない。
【００２５】
また、前記モード指定信号送信手段が携帯電話をＯＦＦモードにするべき所定の施設や乗り物の入口近傍に設けられている場合、ＩＣタグリーダー／ライターが、進入者（入場者や搭乗者）が所持している携帯電話のＩＣタグを読み取り、例えば現在通常モード又はマナーモードであることを検出した場合は、前記ＩＣタグのモードをＯＦＦモードに書換えるのである。ＩＣタグは前記モード切替手段に連動しているので、前記モード切替手段が書換えられたＯＦＦモードとなるようにモードを切替えるとともに、更新されたモードは前記ＩＣタグに記録される。したがって、例えば病院などにおいては、携帯電話によるメール通信も遮断されることになる。なお、読み取ったモードがすでにＯＦＦモードであった場合は、ＩＣタグの書換えを行わない。
【００２６】
このように、本実施形態によれば、施設や乗り物側が要求するマナーモードやＯＦＦモードに進入者の携帯電話の着信モードを強制的に切替えることができ、しかも、この切替えについては、携帯電話の所有者は全く関知することがなく、手動による切替えのような煩わしさもない。
【００２７】
また、例えばＯＦＦモードが必要な施設などにおいては、モード指定信号送信手段は出入口などに設けておけばよく、携帯電話はモード指定信号を一度受信するだけでＯＦＦモードに切替わり、後は施設などから退出するときまでは電波を受信することはないので、電波障害のある機器などを設定した施設においては本システムを好適に導入することができる。
【００２８】
さらに、本実施形態における携帯通信端末は、前記モード検出手段により検出したモードを記憶する初期モード記憶手段と、モード切替時にフラグを立て、フラグを立てた状態において、再度前記モード指定信号を受信した場合、前記初期モード記憶手段に記憶したモードに復帰させるモード復帰手段とを備えている構成とすることが望ましい。
【００２９】
すなわち、施設や乗り物内に入った携帯電話利用者は、当然ながらいずれは退出する。そして、通常、施設でも乗り物でも出入口は共通となっているので、出入口に一つのモード指定信号送信手段を設置しておくだけで、施設や乗り物内に入るときには持ち込まれる携帯電話を所定の着信モードに強制的に切替え、その後退出する場合は自動的に元の着信モードに切り替わるのである。
【００３０】
このように、利用者が気付かぬうちに、所持している携帯電話のモードを施設や乗り物に入る前の状態に自動復帰させることができるので、携帯電話利用者は、着信モードを気にすることなく様々な施設や乗り物への出入りが可能であり、着信モードをいちいち気にするストレスから解放される。
【００３１】
そして、施設や乗り物の外に出た携帯電話利用者は、携帯電話の現在の着信モードと自分が認識している着信モードとが食い違うこともなくなり、例えば病院からの帰りにＯＦＦモードのままになっていた場合などに起こり得る不都合、すなわち、通常モードにしていると思い込んでいる利用者に、誰かが重要な用件で電話しても着信されず、大事な用件に応接できなくなるといった不都合もなくなる。
【００３２】
さらに、モード指定信号送信手段からの信号受信が何らかの理由でできなかった場合においても前述のような不都合を防止するために、前記モード復帰手段は、フラグを立てた状態の時間の計測を開始するタイマを備え、このタイマが所定の時間に達した場合に、前記モード指定信号の受信にかかわらず前記初期モード記憶手段に記憶したモードに復帰させるようにするとよい。
【００３３】
すなわち、着信モードが通常モードの場合からマナーモードやＯＦＦモードに切替えられた場合、及びマナーモードからＯＦＦモードに切替えられた場合、着信モードが強制的に切り替わったときから所定時間を計時すると、元の通常モードあるいはマナーモードに復帰するのである。ここで前記所定時間については、前記モード指定信号送信手段から発信されるモード指定信号に、施設や乗り物が定めた所定時間を示す信号を重畳させておき、この信号に基づき前記タイマが計時するようにしておくとよい。
【００３４】
以下、本発明の実施形態を、図面を参照しながらより具体的に説明する。
【００３５】
図１は本実施形態に係るシステムの構成を示すブロック図、図２は本システムの使用状態を模式に示す説明図、図３は同システムの処理の流れを示すフローチャートである。
【００３６】
図１に示すように、本システムは、音声により着信通知を行う通常モードと、音声を用いない着信通知を行うマナーモードと、電源を強制的にＯＦＦ状態とするＯＦＦモードとに切替え可能としたモード切替手段としてのモード切替回路１を有する携帯電話Ａに対して、前記モード切替回路１に対応し、前記マナーモード又はＯＦＦモードを指定するモード指定信号を発信するモード指定信号送信手段Ｂが設けられて構成される。このモード指定信号送信手段Ｂは、病院や航空機内など、携帯電話Ａの電源をＯＦＦにしておくことが要求されるような場所の出入口や公共施設やバス、電車などの乗り物のように、携帯電話Ａの着信音などが周りに迷惑になるような場所の出入口の取付けられる（図２参照）。
【００３７】
携帯電話Ａは、ＣＰＵ２を備える制御基板が設けられており、同基板には、アンテナ３に接続した受信回路４と送信回路５とを設け、送受信を可能としている。また、前記受信回路４は電話機能のみではなく、前記モード指定信号送信手段Ｂからのモード指定信号をも受信可能としている。
【００３８】
６は前記ＣＰＵ２と接続されたタイミング回路であり、前記受信回路４、復調回路７及び音声符号化回路８、また、前記送信回路５、変調回路９及び音声符号化回路１０へ、処理に必要なクロック信号を出力している。１１ａはスピーカ、１１ｂはマイクである。
【００３９】
１２は音声通知手段であり、音声により着信通知を行う通常モード１２ａと、音声を用いない着信通知を行うマナーモード１２ｂとからなる。また、本携帯電話Ａには、電源を強制的にＯＦＦ状態とするＯＦＦモード１３を備えている。そして、前記モード切替回路１と前記ＣＰＵ２を接続し、各モード１２ａ，１２ｂ，１３にそれぞれ切り替え自在としている。
【００４０】
また、本実施形態では、かかる携帯電話Ａに、前記モード切替回路１に連動するＩＣタグ１５を前記ＣＰＵ２と接続し、このＩＣタグ１５には、前記各モード１２ａ，１２ｂ，１３のうち現在選択されているモードが記録されている。そして、この記録されたモードに基づいて、前記ＣＰＵはモード切替回路１を介してモード切替えを実行するようにしている。一方、このＩＣタグ１５の記録は書換え可能であり、書換えられた場合は、その更新されたモードに基づいて、前記ＣＰＵはモード切替回路１を介してモード切替えを実行する。このように、前記モード切替回路１とＩＣタグ１５とは互いに連動している。
【００４１】
そして、公共施設や乗り物の出入口近傍に設置される前記モード指定信号送信手段Ｂに、前記ＩＣタグ１５に記録されている現在のモードを示す記録情報を読み取り、読み取ったモードに応じて、マナーモード１２ｂ若しくはＯＦＦモード１３に書換えるＩＣタグリーダー／ライター２０を設けている。このＩＣタグリーダー／ライター２０は、所定距離の範囲をカバーできる無線方式としている。
【００４２】
他方、本実施形態に係る携帯電話Ａは、現在のモードを検出するモード検出手段としてモード検出回路１６を備えている。
【００４３】
すなわち、前記モード切替回路１を動作させる前に、検出したモードが前記通常モード１２ａの場合と、検出したモードが前記マナーモード１２ｂであって、かつ前記モード指定信号が前記ＯＦＦモードに切替える信号である場合にモードを切替えるようにしている。
【００４４】
例えば、図２（ａ）に示すように、携帯電話Ａをマナーモードにするべき電車Ｃの乗降口Ｃ１近傍に設けられた前記モード指定信号送信手段ＢのＩＣタグリーダー／ライター２０が、乗降口Ｃ１から内部へ乗り込む人物Ｅが所持している携帯電話のＩＣタグ１５を読み取り、例えば現在通常モード１２ａであることを検出した場合は、モード指定信号を出力して前記ＩＣタグ１５のモードをマナーモード１２ｂに書換える。ＩＣタグ１５は、前述したように前記モード切替回路１に連動しているので、書換えられたモードに基づいて前記モード切替回路１がモードを切替えるとともに、更新されたモードが前記ＩＣタグ１５に記録される。なお、このときに、読み取ったモードがすでにマナーモード１２ｂであった場合やＯＦＦモード１３であった場合は、ＩＣタグ１５の書換えを行わない。
【００４５】
また、図２（ｂ）に示すように、前記モード指定信号送信手段Ｂが携帯電話ＡをＯＦＦモード１３にするべき、例えば病院Ｄの出入口Ｄ１の近傍に設けられている場合、ＩＣタグリーダー／ライター２０が、来院者である人物Ｅが所持している携帯電話ＡのＩＣタグ１５を読み取り、例えば現在通常モード１２ａ又はマナーモード１２ｂであることを検出した場合は、モード指定信号を出力して前記ＩＣタグ１５のモードをＯＦＦモード１３に書換える。ＩＣタグ１５は前記モード切替回路１に連動しているので、前記モード切替回路１が書換えられたＯＦＦモード１３となるようにモードを切替えるとともに、更新されたモードは前記ＩＣタグ１５に記録される。したがって、例えば病院Ｄなどにおいては、携帯電話Ａによるメール通信も行えなくなる。なお、この場合、読み取ったモードがすでにＯＦＦモード１３であった場合は、ＩＣタグ１５の書換えを行わない。
【００４６】
上述した構成により、本システムでは、携帯電話Ａのモードを強制的に所望するモード、本実施形態ではマナーモード１２ｂ若しくはＯＦＦモード１３へとより確実に変更することができ、携帯電話Ａの利用者は着信モードを気にすることなく外出することができるようになる。そして、場所によってモード切替えを頻繁に行う手間が省けるとともに、公共施設や乗り物などでは、モード切替えを依頼する表示やアナウンスなどをいちいち行わなくても携帯電話Ａの利用に関して、第三者からの苦情への応対が激減するとともに、携帯電話Ａによる精密機器への電波障害などのおそれもなくなる。
【００４７】
しかも、上述してきたように、モード切替えが自動的に行われるので、携帯電話Ａの所有者は手動によって切替える煩わしさもないばかりか、モードについては何も気にすることなく電車Ｃに乗ったり、病院Ｄを訪れることができる。
【００４８】
さらに、本実施形態における携帯電話Ａには、図１に示すように、前記モード検出回路１６により検出したモードを記憶する初期モード記憶手段としての初期モード記憶回路１７と、モード切替時にフラグを立て、フラグを立てた状態において、再度前記モード指定信号を受信した場合、前記初期モード記憶回路１７に記憶したモードに復帰させるモード復帰手段の構成要件であるフラグ制御回路１８とを備えている。
【００４９】
すなわち、前記モード検出回路１６によりモードを検出すると、前記フラグ制御回路１８によりフラグを立てる一方、ＣＰＵ２により検出したモードを初期モード記憶回路１７に記憶させる。そして、フラグが立っている状態において、乗降口Ｃ１や出入口Ｄ１において前記モード指定信号送信手段Ｂから再度前記モード指定信号を受信すると、ＣＰＵ２は前記初期モード記憶回路１７に記憶したモードに復帰させるように、モード切替回路１に指令信号を出力してモードを復帰させる。
【００５０】
前記電車Ｃや病院Ｄのような乗り物や施設内に入った携帯電話Ａの利用者は、当然ながらいずれは退出する。また、通常、施設でも乗り物でも出入口は共通となっているので、図２で示したように、乗降口Ｃ１や出入口Ｄ１に一つのモード指定信号送信手段Ｂを設置しておくだけで、上記構成の携帯電話Ａであれば、施設や乗り物内に入るときに持ち込まれると所定の着信モードに強制的に切替えられ、その後退出する場合も強制的に元の着信モードに切替えられる。
【００５１】
このように、携帯電話Ａの所有者が気付かぬうちに携帯電話Ａのモードを施設や乗り物に入る前の状態に自動復帰させることができるので、携帯電話Ａの利用者は、より一層気楽に様々な施設や乗り物への出入りが可能となり、着信モードを気にすることによるストレスから解放される。
【００５２】
また、例えばＯＦＦモードが必要な上記病院Ｄなどの施設においては、モード指定信号送信手段Ｂは出入口Ｄ１に一つだけ設けるだけでよいのでシステム導入が容易であり、しかも、携帯電話Ａは、病院Ｄに入るときに、その出入口Ｄ１でモード指定信号を一度受信するだけでＯＦＦモードに切替わり、後は病院Ｄから退出するときまでは電波を受信することはないので、電波障害のある精密な医療機器を設定した上記病院Ｄなどの施設においては極めて好ましいシステムとなる。
【００５３】
また、本実施形態では、前記モード指定信号送信手段Ｂからのモード指定信号を何らかの理由で受信できなかった場合でも所定時間が経過すると元のモードに復帰するようにしている。
【００５４】
すなわち、モード復帰手段として、本実施形態では、前記モード切替回路１、ＣＰＵ２、モード検出回路１６、及びフラグ制御回路１８、さらに下記のタイマ回路１９から構成している。
【００５５】
このタイマ回路１９は、フラグを立てた状態の時間の計測を開始する機能を有し、このタイマ回路１９が所定の時間に達した場合に、前記モード指定信号の受信にかかわらず前記初期モード記憶手段１７に記憶したモードに復帰させることができる。
【００５６】
すなわち、モードが通常モード１２ａの場合からマナーモード１２ｂやＯＦＦモード１３に切替えられた場合、及びマナーモード１２ｂからＯＦＦモード１３に切替えられた場合、モードが強制的に切り替わったときから所定時間が計時されると、元の通常モード１２ａあるいはマナーモード１２ｂに復帰させるのである。
【００５７】
ここで、前記所定時間としては、前記モード指定信号送信手段Ｂから発信されるモード指定信号に、施設や乗り物が定めた所定時間を示す信号を重畳させておき、この信号に基づき前記タイマ回路１９が計時するようにしている。
【００５８】
以下、図３を参照しながら、本システムにおける処理の一連の流れを説明する。ここでは、携帯電話Ａのモードをマナーモード１２ｂにするべき施設の出入口に前記モード指定信号送信手段Ｂが設置されているものとする。
【００５９】
携帯電話Ａの所有者が出入口から入場すると、前記モード指定信号送信手段Ｂから出力されている第１の信号がＩＣタグ１５の記録を読み込み（Ｓ１０１）、前記モード指定信号送信手段ＢのＩＣタグリーダー／ライター２０が携帯電話ＡのＩＣタグ１５の記録がマナーモード１２ｂあるいはＯＦＦモード１３であるかを判断する（Ｓ１０２）。
【００６０】
そして、マナーモード１２ｂでもＯＦＦモード１３でもない場合、前記第１の信号に重畳されている前記ＩＣタグリーダー／ライター２０からのモード指定信号により、携帯電話ＡのＩＣタグ１５の記録をマナーモード１２ｂに書換えるとともに施設が指定するモード強制切替えの時間を示す信号についても前記ＩＣタグ１５に書き込む。これによりモードがマナーモード１２ｂに切替わるとともに（Ｓ１０３）、モード復帰手段によりフラグが立てられ（Ｓ１０４）、同時にタイマ回路１９が計時を開始する（Ｓ１０５）。なお、携帯電話Ａの初期モード記憶回路１７には切替わる前のモードが記憶される（この場合は通常モード１２ａ）。
【００６１】
このタイマ回路１９がタイムオーバーか否かを判断し（Ｓ１０７）、所定時間を計時した場合はモード復帰手段によってモードが通常モード１２ａに復帰されるとともに（Ｓ１０８）、立てたフラグを倒し（Ｓ１０９）、マナーモード１２ｂの維持状態が終了し、タイマ回路１９による計時も終了する（Ｓ１１０）。
【００６２】
一方、前記ステップＳ１０７でタイムオーバーではない場合、前記モード指定信号送信手段Ｂから出力されている信号（ここでは携帯電話Ａが所有者の施設から退出時に受信する信号として第２信号とする）を受信したかどうかを判断し（Ｓ１１１）、受信した場合、ここでフラグが立っているかを判断する（Ｓ１１２）。フラグが立っている場合、前記ステップＳ１０８に移り、元のモードが通常モード１２ａにモードを切替える。その後はステップＳ１０９、ステップＳ１１０と進み、タイマー回路１９の計時を終了する。なお、この処理の流れは、モードをＯＦＦモード１３に強制的に切替える場合も適用できる。
【００６３】
以上、実施形態を通して本発明を説明してきたが、本発明は上述の実施形態に限定されるものではない。
【図面の簡単な説明】
【００６４】
【図１】本実施形態に係るシステムの構成を示すブロック図である。
【図２】本システムの使用状態を模式に示す説明図である。
【図３】同システムの処理の流れを示すフローチャートである。
【符号の説明】
【００６５】
Ａ  携帯電話（携帯通信端末）
Ｂ  モード指定信号送信手段
１  モード切替回路（モード切替手段）
２  ＣＰＵ
１２ａ  通常モード（第１のモード）
１２ｂ  マナーモード（第２のモード）
１３  ＯＦＦモード（第３のモード）
１５  ＩＣタグ
１６  モード検出回路（モード検出手段）
１９  タイマ回路
２０  ＩＣタグリーダー／ライター
【図１】
2005277973.tif 000003
【図２】
2005277973.tif 000004
【図３】
2005277973.tif 000005